(57)【特許請求の範囲】
【請求項１】
導電性を有した透明な板材から成る窓材と、
前記窓材と電気的に接続された導電性の窓枠と、
前記窓枠の少なくとも１箇所に設けられた窓枠間隙と
を備え、
前記窓枠間隙の幅は前記窓材が遮断しようとする電磁波の波長の１／４の長さに設定され、前記窓材は前記窓枠を介してアースされたことを特徴とする窓用電磁波シールド。
【請求項２】
請求項１に記載の窓用電磁波シールドにおいて、
前記窓材と前記窓枠との間に挟設されて前記窓材を固定保持すると共に、前記窓材および前記窓枠と電気的に接続された導電性の保持部材と、
前記保持部材の少なくとも１箇所に設けられ、前記窓枠間隙と位置および幅が合致する保持部材間隙とを備えことを特徴とする窓用電磁波シールド。
【請求項３】
導電性を有した透明な板材から成る窓材と、
前記窓材を取り付けるための絶縁性の窓枠と、
前記窓材と前記窓枠との間に挟設されて前記窓材を固定保持すると共に、前記窓材と電気的に接続された導電性の保持部材と、
前記保持部材の少なくとも１箇所に設けられた保持部材間隙と
を備え、
前記保持部材間隙の幅は前記窓材が遮断しようとする電磁波の波長の１／４の長さに設定され、前記窓材は前記保持部材を介してアースされたことを特徴とする窓用電磁波シールド。
【発明の詳細な説明】
【０００１】
【発明の属する技術分野】
本発明は窓用電磁波シールドに関するものである。
【０００２】
【従来の技術および発明が解決しようとする課題】
従来より、窓ガラスを通過する電磁波を遮断するための窓用電磁波シールドとして、通常の窓ガラスに代えて導電性ガラスを用いたものが知られている。このような導電性ガラスをはめ込む窓枠の材質としては、耐久性および耐候性を考慮して、一般にアルミニウム合金などの金属が使用される。
【０００３】
しかし、金属製の窓枠はループアンテナとして機能し、そのアンテナの同調周波数と等しい周波数の電磁波を受信してしまい、電磁波シールド効果を阻害するおそれがあった。
本発明は上記問題点を解決するためになされたものであって、その目的は、窓枠がループアンテナとして機能することにより電磁波シールド効果が阻害されるのを防止することが可能な窓用電磁波シールドを提供することにある。
【０００４】
【課題を解決するための手段】
かかる目的を達成するためになされた請求項１に記載の発明は、導電性を有した透明な板材から成る窓材と、前記窓材と電気的に接続された導電性の窓枠と、前記窓枠の少なくとも１箇所に設けられた窓枠間隙とを備えている。そして、前記窓枠間隙の幅は前記窓材が遮断しようとする電磁波の波長の１／４の長さに設定され、前記窓材は前記窓枠を介してアースされている。
【０００５】
また、請求項２に記載の発明は、請求項１に記載の窓用電磁波シールドにおいて、前記窓材と前記窓枠との間に挟設されて前記窓材を固定保持すると共に、前記窓材および前記窓枠と電気的に接続された導電性の保持部材と、前記保持部材の少なくとも１箇所に設けられ、前記窓枠間隙と位置および幅が合致する保持部材間隙とを備えている。
【０００６】
また、請求項３に記載の発明は、導電性を有した透明な板材から成る窓材と、前記窓材を取り付けるための絶縁性の窓枠と、前記窓材と前記窓枠との間に挟設されて前記窓材を固定保持すると共に、前記窓材と電気的に接続された導電性の保持部材と、前記保持部材の少なくとも１箇所に設けられた保持部材間隙とを備えている。そして、前記保持部材間隙の幅は前記窓材が遮断しようとする電磁波の波長の１／４の長さに設定され、前記窓材は前記保持部材を介してアースされている。
【０００７】
【発明の実施の形態】
以下、本発明を具体化した一実施形態を図面と共に説明する。
図１は、本実施形態の窓用電磁波シールド１の正面図である。図２は、図１における要部Ａの拡大図である。図３は、図１におけるＢ−Ｂ線断面図である。
【０００８】
窓用電磁波シールド１は、窓材２，窓枠３，絶縁材４，保持部材５から構成されている。
矩形の窓材２は、透明な板材２ａと、板材２ａの表面に形成された導電性を有する透明な薄膜２ｂとから成る。例えば、窓材２を導電性ガラス板により形成する場合は、アンチモンやフッ素を添加した塩化スズのアルコール溶液を融点近くまで加熱したガラス板２ａに噴霧してガラス板２ａの表面に酸化スズを主体とする薄膜２ｂを形成するか、または、真空蒸着法，化学蒸着法，スパッタリング法などによりガラス板２ａの表面に金属酸化膜（例えば、ＩＴＯなど）や導電性高分子（例えば、ポリアセチレン、ポリジアセチレン、ポリピロール、ポリパラフェニレン、ポリパラフェニレンスルフィドなど）の薄膜２ｂを形成すればよい。
【０００９】
尚、薄膜２ｂを板材２ａの両面に形成してもよく、その場合は板材２ａの片面にのみ薄膜２ｂを形成した場合に比べて後述する本実施形態の効果をさらに高めることができる。また、窓材２を一枚の導電性高分子材料板により形成することもできる。
【００１０】
窓枠３は、矩形の窓材２の周囲を囲む額縁状を成し、窓材２の４つの辺にそれぞれ対応した４つの部分３ａ〜３ｄに分かれている。各部分３ａ〜３ｄは断面コ字状を成した長尺物であり、耐久性および耐候性に優れた金属材料（例えば、アルミニウム合金、ステンレス、防錆処理が施された鉄など）により形成されている。そして、各部分３ａ〜３ｄ間には所定幅Ｗの間隙６が設けられ、その間隙６に嵌挿された絶縁材４を介して各部分３ａ〜３ｄは互いに固定されている。尚、各部分３ａ〜３ｄは、引き抜き材を用いて作成されるか、または、金属板の折り曲げ加工により作成されている。
【００１１】
保持部材５は、窓材２の４つの辺にそれぞれ対応した４つの部分５ａ〜５ｄに分かれている。各部分５ａ〜５ｄは断面コ字状を成した長尺物であり、各部分３ａ〜３ｄの凹部７内にそれぞれ嵌挿されている。また、各部分５ａ〜５ｄの凹部８内面には、その長手方向に沿って複数の突起９が突設されている。そして、各部分５ａ〜５ｄは可撓性と導電性を有した材質によって形成されている。そのような材質としては、高分子材料に導体（金属や黒鉛など）を分散させた電気伝導性樹脂や導電性高分子などがある。
【００１２】
また、保持部材５の各部分５ａ〜５ｄの端面はそれぞれ窓枠３の各部分３ａ〜３ｄの端面と合致するように配置されており、各部分５ａ〜５ｄ間にも所定幅Ｗの間隙６が設けられている。そして、窓枠３の各部分３ａ〜３ｄはそれぞれ独立してアースされている。また、窓枠３の各部分３ａ〜３ｄと保持部材５の各部分５ａ〜５ｄとはそれぞれ電気的に接続されている。つまり、保持部材５の各部分５ａ〜５ｄは、嵌挿された窓枠３の各部分３ａ〜３ｄを介し、それぞれ独立してアースされている。
【００１３】
窓材２は保持部材５の各部分５ａ〜５ｄの凹部８内に嵌挿され、窓材２の表裏面は複数の突起９によってガタツキの生じないように押圧挟持されている。つまり、保持部材５は窓材２と窓枠３との間に挟設されている。そして、導電性を有した窓材２は、各突起９を介して保持部材５の各部分５ａ〜５ｄと電気的に接続され、保持部材５の各部分５ａ〜５ｄから窓枠３の各部分３ａ〜３ｄを介してアースされている。そのため、窓材２を通過しようとする電磁波を遮断することができる。
【００１４】
このように構成された本実施形態の窓用電磁波シールド１においては、窓枠３の各部分３ａ〜３ｄおよび保持部材５の各部分５ａ〜５ｄが導電性を有しているものの、各部分３ａ〜３ｄ間および各部分５ａ〜５ｄ間に所定幅Ｗの間隙６が設けられている。そのため、窓材２により遮断しようとする電磁波の波長λの１／４の長さに当該所定幅Ｗを設定すれば（Ｗ＝λ／２）、窓枠３および保持部材５がループアンテナとして機能するのを回避することが可能になり、電磁波シールド効果が阻害されるのを防止することができる。
【００１５】
尚、本発明は上記実施形態に限定されるものではなく、以下のように変更してもよく、その場合でも、上記実施形態と同様の作用および効果を得ることができる。
（１）窓枠３を金属材料ではなく絶縁材料（例えば、木材や絶縁性高分子材料など）により形成してもよい。この場合には、絶縁材４を省いて窓枠３の各部分３ａ〜３ｄを一体化し、保持部材５の各部分５ａ〜５ｄを独立して直接アースすればよい。
【００１６】
（２）窓材２の形状は矩形に限らず、その他の形状（例えば、円形、多角形、不定形など）にしてもよい。この場合、窓枠３の各部分３ａ〜３ｄおよび保持部材５の各部分５ａ〜５ｄの形状は、窓材２の形状に合わせる必要がある。
（３）上記実施形態のように窓枠３および保持部材５をそれぞれ４つの部分に分けて各部分間に間隙６を設ける必要はなく、窓材２を囲む窓枠３および保持部材５の少なくとも１箇所に間隙６を設けるようにすればよい。
【００１７】
（４）保持部材５として、実開平１−１７１１０号公報に開示された電磁波シールド用パッキンを使用してもよい。このパッキンは、シリコンチューブの周囲にメリヤス編みによりスズメッキ銅線を編組した後、この銅線の一部が露出するようにシリコンゴムにて被覆したものである。
【００１８】
また、保持部材５として、特開平４−２６８３７号公報に開示された電磁波遮蔽用ガスケットを使用してもよい。このガスケットは、シリコンゴムの周囲をシリコンゴムよりも弾性が小さいアルミニウム合金製の網状体で被覆したものである。
【００１９】
また、保持部材５として、特開平４−２５５２８号公報に開示された電磁波シールド用部材を使用してもよい。この部材は、シリコン母材の内部に、その長手方向に非常に長く伸びる長炭素繊維が多数配置され、母材全体に渡って短炭素繊維が多量に添加されたものである。
【００２０】
【発明の効果】
以上詳述したように、本発明によれば、窓枠がループアンテナとして機能することにより電磁波シールド効果が阻害されるのを防止することが可能な窓用電磁波シールドを提供することができる。
【図面の簡単な説明】
【図１】本発明を具体化した一実施形態の窓用電磁波シールドの正面図。
【図２】図１における要部Ａの拡大図。
【図３】図１におけるＢ−Ｂ線断面図。
【符号の説明】
１…窓用電磁波シールド    ２…窓材    ３…窓枠    ５…保持部材
６…間隙
【図１】
0003665503.tif 000002
【図２】
0003665503.tif 000003
【図３】
0003665503.tif 000004